(57)【要約】【課題】仕切り戸をその横幅方向に対してスライド式とすることにより戸の横幅を可変式とすることで、部屋の開放空間を広め、かつ仕切り戸の表面に付く段差を小さくできるようにした可動式仕切り装置を提供すること。【解決手段】天井及び床面に配設されたレール５、６に沿って移動する仕切り戸より構成した可動式仕切り装置において、仕切り戸Ａを、レール５、６に沿って移動可能とした複数の軸桟２と、この隣接する軸桟２間を連結して組み合わせるようした摺動板３とより構成する。【選択図】図１
2005248568.tif 000002
【特許請求の範囲】
【請求項１】
天井及び床面に配設されたレールに沿って移動する仕切り戸より構成した可動式仕切り装置において、仕切り戸を、レールに沿って移動可能とした複数の軸桟と、この隣接する軸桟間を連結して組み合わせるようした摺動板とより構成したことを特徴とする可動式仕切り装置。
【請求項２】
仕切り戸の少なくとも片端に、引き手部を備えた端桟を配設したことを特徴とする請求項１記載の可動式仕切り装置。
【請求項３】
軸桟及び端桟の上部に仕切り戸走行用のライナーを備えた上蓋を、下部に床レールに嵌挿されて移動可能としたガイドを突設した台板を取り付けたことを特徴とする請求項１又は２記載の可動式仕切り装置。
【請求項４】
仕切り戸を、その横幅方向に伸縮可能としたことを特徴とする請求項１、２又は３記載の可動式仕切り装置。
【請求項５】
摺動板を、これと連結する軸桟及び端桟の空洞内に収納可能とし、かつその端部に軸桟及び端桟の切欠部と係止可能としたフックを備えたことを特徴とする請求項１、２、３又は４記載の可動式仕切り装置。
【請求項６】
摺動板を、２以上の部材を互いに入り子式にして出没するよう構成したことを特徴とする請求項１、２、３、４又は５記載の可動式仕切り装置。
【発明の詳細な説明】
【技術分野】
【０００１】
本発明は、可動式仕切り装置に関し、特に、仕切り時における仕切り戸間の表面に付く段差を小さくし、かつ仕切りをしない場合において部屋の開放空間を大きくできるようにした可動式仕切り装置に関するものである。
【背景技術】
【０００２】
従来、大きな部屋を２以上に仕切って２或いはそれ以上の適正な大きさを有する小さな部屋として使用する場合、予め仕切り位置の天井と床の双方に対向するようにして天井レールと床レールとを敷設し、この天井レール、床レール間に、引き違い戸式で、一定幅を有する仕切り戸を、部屋の大きさに応じた複数枚を移動可能にして取り付けた可動式仕切り装置が提案されている。
【０００３】
ところで、この可動式仕切り装置は、大きな部屋を仕切りをしないで使用する場合には、仕切り戸を部屋の左右いずれかの片方の側部に引き寄せて、仕切り戸が互いに重なり合って収納するようにしているが、部屋を仕切りする必要が生じた場合には、この仕切り戸を天井レール、床レールに添って１枚づつ引き出し、大きな部屋を所定位置で仕切り、所要の大きさとなるようにして使用している。
【０００４】
このため、この可動式仕切り装置は、仕切り戸を引き出して大きな１つの部屋を、２部屋以上に仕切った場合、この可動式仕切り装置戸の表面に少なくとも仕切り戸の厚さの段差が付き、また、仕切りをしない場合には、仕切り戸が互いに重なり合うよう、部屋の左右いずれかの片方の側部位置に引き寄せて収納しているので、部屋の開放空間（開口部）は、この重なり合った仕切り戸の横幅分のみ、該仕切り戸にて塞がれ、大きく開放することができないという問題があった。
【発明の開示】
【発明が解決しようとする課題】
【０００５】
本発明は、上記従来の可動式仕切り装置の有する問題点に鑑み、仕切り戸をその横幅方向に対してスライド式とすることにより戸の横幅を可変式とすることで、部屋の開放空間を広め、かつ仕切り戸の表面に付く段差を小さくできるようにした可動式仕切り装置を提供することを目的とする。
【課題を解決するための手段】
【０００６】
上記目的を達成するため、可動式仕切り装置は、天井及び床面に配設されたレールに沿って移動する仕切り戸より構成した可動式仕切り装置において、仕切り戸を、レールに沿って移動可能とした複数の軸桟と、この隣接する軸桟間を連結して組み合わせるようした摺動板とより構成したことを特徴とする。
【０００７】
この場合において、仕切り戸の少なくとも片端に、引き手部を備えた端桟を配設することができる。
【０００８】
また、この場合において、軸桟及び端桟の上部に仕切り戸走行用のライナーを備えた上蓋を、下部に床レールに嵌挿されて移動可能としたガイドを突設した台板を取り付けることができる。
【０００９】
また、この場合において、仕切り戸を、その横幅方向に伸縮可能とすることができる。
【００１０】
また、この場合において、摺動板を、これと連結する軸桟及び端桟の空洞内に収納可能とし、かつその端部に軸桟及び端桟の切欠部と係止可能としたフックを備えることができる。
【００１１】
また、この場合において、摺動板を、２以上の部材を互いに入り子式にして出没するよう構成することができる。
【発明の効果】
【００１２】
本発明の可動式仕切り装置によれば、天井及び床面に配設されたレールに沿って移動する仕切り戸より構成した可動式仕切り装置において、仕切り戸を、レールに沿って移動可能とした複数の軸桟と、この隣接する軸桟間を連結して組み合わせるようした摺動板とより構成することで、仕切り戸をレールに沿って移動させて間仕切る場合、仕切り戸間に生じる段差をなくするか、或いは小さくすることができ、かつ仕切り戸の横幅を、使用する軸桟、摺動板の数によって簡易に調節することができる。
【００１３】
また、仕切り戸の少なくとも片端に、引き手部を備えた端桟を配設することにより、従来の引き戸のように扱いが容易で、かつデザイン的にも優れたものとすることができる。
【００１４】
また、軸桟及び端桟の上部に仕切り戸走行用のライナーを備えた上蓋を、下部に床レールに嵌挿されて移動可能としたガイドを突設した台板を取り付けることにより、１枚の仕切り戸に複数のライナー及びガイドを有するので、仕切り戸の移動が円滑に行うことができる。
【００１５】
また、仕切り戸を、その横幅方向に伸縮可能とすることにより、仕切り戸の横幅を簡易に縮小することができ、間仕切らない場合において、部屋の開放空間を大きくすることができる。
【００１６】
また、摺動板を、これと連結する軸桟及び端桟の空洞内に収納可能とし、かつその端部に軸桟及び端桟の切欠部と係止可能としたフックを備えることにより、組み立てが簡易とすることができる。
【００１７】
また、摺動板を、２以上の部材を互いに入り子式にして出没するよう構成することにより、仕切り戸の横幅方向の伸縮率が大きくなって、仕切り戸をより小さくすることで、部屋の開放空間を大きくすることができる。  
【発明を実施するための最良の形態】
【００１８】
以下、本発明の可動式仕切り装置実施の形態を、図面に基づいて説明する。
【実施例１】
【００１９】
図１〜図８に、本発明の可動式仕切り装置の第１実施例を示す。
本発明の可動式仕切り装置は、図１に示すように、仕切り戸の上部に移動用のランナーを、下部には床レールに嵌挿されて移動できるようにしたガイドを配設した吊り戸式の仕切り戸として説明するが、これは特に限定されるものではなく、仕切り戸下部に戸車を、上部にはガイドを配設した従来の戸車式の仕切り戸とすることも可能である。
【００２０】
この可動式仕切り装置は、天井面に配設された図７（Ａ）、（Ｂ）に示すような天井レール５と、床面に配設された図７（Ｃ）、（Ｄ）に示すような床レール６に沿って移動可能に仕切り戸を配設して構成する。
この仕切り戸は、仕切り戸のいずれか片端或いは両方の端部に配設される端桟１と、仕切り戸の横幅方向に沿って所定間隔に配設される複数の軸桟２と、該端桟１と軸桟２間、或いは隣接される軸桟２、２間を連結可能にして配設される摺動板３とを組み合わせて所要の戸幅となるようにし、かつ前記端桟１と軸桟２の上部にはランナーを、下部にはガイドを備えて構成する。
【００２１】
端桟１は、図２、図４（Ａ）に示すように、仕切り戸として適当な長さ、例えば、部屋の床面より天井面までの高さを、その高さ方向に対して１枚の仕切り戸にて仕切れるようにした長さＬを有し、かつ内部を空洞１０とした角筒形をしており、これは角筒形を形成する４片の周側片１１、１２、１３、１４のうち、その１周側片１１の外側面にその上端から下端に至って内側に窪んだ引き手部１５を形成し、この引き手部１５を備えた周側片１１に隣接する周側片１２に、その上端から下端に至るまで切り欠くようにして切欠部１６を形成するとともに、この周側片の内角部に取付用ビス孔１ｂ、１ｂを形成して構成する。
なお、この端桟１の周側片のうち、周側片１２、１４の長さは、構成する仕切り戸の厚さとなるようにし、これは特に限定されるものではないが、例えば、２４〜４０ｍｍ程度の厚さとして構成する。
【００２２】
この端桟１には、図１、図４（Ｂ）、（Ｃ）に示すように、端桟１の上端にライナーを備えた上蓋１Ａを配設する。この上蓋１Ａは、端桟１の上端部平面形状と同じ形状とした平板状の上蓋本体１７と、該上蓋本体１７のほぼ中央にランナー取付片１７ａを突設して構成する。そして、この上蓋本体１７には、端桟１に形成した取付用ビス孔１ｂ、１ｂと対向する位置にビス孔１７ｈ、１７ｈを穿設し、また、ランナー取付片１７ａには、軸孔１７ｈを穿設し、これに軸を貫通して所要のランナーを取り付けるようにする。
これにより、端桟１の上端に上蓋１Ａを被せるようにした後、ビス又はピンにて端桟１と上蓋１Ａとを固定し、かつランナー取付片１７ａに軸４２を介して、図６に示すようなランナー４を回動可能に取り付けるようにする。
【００２３】
また、端桟１の下端には、図４（Ｄ）、（Ｅ）に示すように、ガイド付の台板１Ｂを取り付ける。この台板１Ｂは、上蓋１Ａと同様に、端桟１の下端部平面形状と同じ形状とした平板状の台板本体１８と、該台板本体１８のほぼ中央下面に突出するようにして床レールの溝内に嵌挿去れ、摺動移動可能とするガイド１８ａを突設して構成する。
この台板本体１８には、上蓋１Ａと同様に、端桟１に形成した取付用ビス孔１ｂ、１ｂと対向する位置にビス孔１８ｈ、１８ｈを穿設し、これにより、端桟１の下端に台板１Ｂを添わせるようにし、ビス又はピンにて端桟１と台板１Ｂとを固定するようにする。
【００２４】
軸桟２は、端桟１と同様に、図１〜図３に示すように、仕切り戸として適当な長さＬを有する内部を空洞２０、２０とした断面Ｓ字形の角筒をしており、これは角筒形を形成する４片の周側片２１、２２、２３、２４のうち、その対向する２周側片２２と２４に、その上端から下端に至るように切り欠いた切欠部２５を形成するとともに、この周側片の内角部に取付用ビス孔２ｂ、２ｂを形成し、かつ周側片２２と２４との内側で、かつ切欠部２５の内側に空洞２０が形成され、該空洞内に摺動板３が収納されるのに支障のないようにして内連結片２６にて連結して一体となるように構成する。
なお、この軸桟２の周側片のうち、周側片２２、２４の長さは、端桟１と同様に、構成する仕切り戸の戸の厚さとなるようにして、特に限定されるものではないが、例えば、２４〜４０ｍｍ程度として、望ましくは端桟１と同じ厚さとなるように構成する。
【００２５】
また、この軸桟２には、端桟１と同様に、その上下に上蓋２Ａと台板２Ｂをそれぞれビス（図示省略）を介して取り付ける。この上蓋２Ａは、図１、図３（Ｂ）（Ｃ）に示すように、軸桟２の上端部平面形状と同じ形状とした平板状の上蓋本体２７と、この上蓋本体２７のほぼ中央に突設したランナー取付片２７ａとより構成する。そして、この上蓋本体２７には、軸桟２に形成した取付用ビス孔２ｂ、２ｂと対向する位置にビス孔２７ｈ、２７ｈを穿設し、また、ランナー取付片２７ａには、軸孔２７ｂを穿設し、これに軸を貫通して所要のランナー４を取り付けるようにする。
これにより、軸桟２の上端に上蓋２Ａを被せるようにし、ビスにて軸桟２と上蓋２Ａとを固定し、かつランナー取付片２７ａに軸４２を介して、図６に示すようなランナー４を回動可能に取り付けるようにする。
【００２６】
また、軸桟２の下端には、図１、図３（Ｄ）（Ｅ）に示すように、台板２Ｂを取り付ける。この台板２Ｂは、上蓋２Ａと同様に、軸桟２の下端部平面形状と同じ形状とした平板状の台板本体２８と、台板本体２８のほぼ中央下面に突出するようにしてガイド２８ａを突設して構成する。
この台板本体２８には、軸桟２に形成した取付用ビス孔２ｂ、２ｂと対向する位置にビス孔２８ｈ、２８ｈを穿設し、これにより、軸桟２の下端に台板２Ｂを添わせるようにし、ビスにて軸桟２と台板２Ｂとを固定するようにする。
なお、この上蓋と台板との取り付けには、ビス以外にピンを用いることもできる。
【００２７】
また、互いに隣接される端桟１と軸桟２間、或いは隣接の軸桟２、２間には、これを連結するための摺動板３が配設される。
この摺動板３は、図１、図２及び図５に示すように、所要の幅Ｗと長さＬを有し、その両端部においてフック３１、３１を形成する。このフック３１が端桟１或いは軸桟２の端部より空洞１０又は空洞２０内に挿入されたとき、周側片の切欠部の端部にフック３１が係止され、抜け止めを防止するようにする。
なお、両端にフック３１、３１を備えた摺動板３の形状は、特に限定されるものではなく、図示のように中央部が薄くなるような平板状に形成することも、或いは全体が同じ板厚を有する平板状に形成することも可能である。
【００２８】
ランナー４は、図６に示すように、天井面に配設した天井レール（図示省略）に支持されて走行可能としたロール形とし、この中央部に軸孔４１を穿設して構成する。そして、図１に示すように、この軸孔４１と、端桟１或いは軸桟２に取り付ける上蓋のランナー取付片の軸孔１７ｈ或いは２７ｈ間に軸４２を貫通して回動可能に取り付ける。
【００２９】
本発明の可動式仕切り装置は、それぞれ上下にランナー付の上蓋１Ａ、２Ａと、ガイドを突設した台板１Ｂ、２Ｂを備えた端桟１、軸桟２と、これらを連結するようにした摺動板３とを用いて所要の幅を有する仕切り戸を組み立てる。これは少なくとも片端に端桟１を、そして複数の軸桟２、２を、予め設定された摺動板３の幅Ｗ１となるよう所定間隔で配設し、この端桟１、軸桟２間、及び隣接する軸桟２間を連結するようにして、それぞれ摺動板３を配設する。
これは、図２に示すように、摺動板３の片端のフック３１を端桟１の空洞１０内に、他方のフック３１を軸桟２の空洞２０内にそれぞれ挿入するようにし、摺動板３の本体部分は切欠部１６、切欠部２５から端桟１、軸桟２の外部に突出するようにする。
これにより、少なくとも１つの端桟１及び複数の軸桟２とが摺動板３を介して互いに連結され、一体となり、１枚の仕切り戸を完成するようにする。
【００３０】
なお、この場合、摺動板３の長さＬ１は、図示の実施例では一定としたが、この摺動板３の長さＬ１を異なるものを複数種準備することにより、形成する仕切り戸の横幅を調整できるようにすることができる。
このようにして形成した仕切り戸を、部屋に配設された天井レール５と床レール６間に移動可能に配設する。
【００３１】
次に、本発明の可動式仕切り装置の作用について説明する。
通常、仕切り戸の横幅が固定されている実施例の場合は、図２（Ａ）に示すように、端桟１、軸桟２間、及び隣接する軸桟２間を連結するようにして、それぞれ摺動板３のフック３１は端桟１又は軸桟２の周側片に係止されて一体となっており、これにより、該仕切り戸をレールに沿って移動させ、閉じるようにすることにより部屋は間仕切られ、また部屋を大きな部屋として使用する場合には、部屋のいずれか片方の側部に引き寄せて開放空間を大きく確保するようにする。
【００３２】
また、大きな部屋を間仕切らないで、大きな１つの部屋の状態で、かつ仕切り戸を開いて部屋の開放空間をできるだけを大きくしたいときには、仕切り戸を縮小させて用いるようにする。例えば、図２（Ｂ）に示すように、端桟１、軸桟２間を連結するようにして、端桟１、桟２間及び軸桟２、２間に配設する摺動板３をスライドさせて、端桟１又は軸桟２の空洞内に収納できるようにする。この場合、端桟１、軸桟２間及び軸桟２、２間を強く押してその間隔を小さくするようにすると、摺動板３のフック３１が端桟１又は軸桟２の空洞部１０、２０内に押し込められるようになって、端桟１、軸桟２間、及び隣接する軸桟２間が縮小され、これにより仕切り戸の横幅が縮小される。このようにして、レール間に配設されるすべての仕切り戸の横幅が縮小され、部屋の片隅のレールにて支持されるとき、仕切り戸の横幅が縮小されているので、部屋の開放空間が大きくなる。
【００３３】
また、固定式、伸縮式いずれの仕切り戸を移動して仕切りをした場合でも、仕切り戸を構成する端桟１又は軸桟２と、摺動板３との段差が少ないため、仕切り戸間の段差を小さくすることができる。
【００３４】
なお、この可動式仕切り装置は、天井レール５と床レール６に沿って、軸桟２を直線状に伸縮させるほか、図８に示すように、曲線状に伸縮させることもできる。
【実施例２】
【００３５】
図９に、本発明の可動式仕切り装置の第２実施例を示す。
この実施例は、軸桟２及び摺動板３の形状を、第１実施例と異ならしたもので、基本的な構成及び作用は、上記第１実施例の可動式仕切り装置と同様である。
【実施例３】
【００３６】
図１０に、本発明の可動式仕切り装置の第３実施例を示す。
この実施例は、軸桟２及び摺動板３の形状を、第１実施例と異ならしたもので、基本的な構成及び作用は、上記第１実施例の可動式仕切り装置と同様である。
【実施例４】
【００３７】
図１１に、本発明の可動式仕切り装置の第４実施例を示す。
この実施例は、軸桟２及び摺動板３の形状を、第１実施例と異ならせるとともに、摺動板３を、それぞれフック３１ａ、３１ｂを備えた入り子式の２つの部材３ａ、３ｂで構成したもので、基本的な構成及び作用は、上記第１実施例の可動式仕切り装置と同様である。
そして、本実施例のように、摺動板３を入り子式の２つの部材３ａ、３ｂで構成することにより、可動式仕切り装置の伸縮量を大きくすることができる。
【００３８】
図１２に、本発明の可動式仕切り装置の第５実施例を示す。
この実施例は、軸桟２及び摺動板３の形状を、第１実施例と異ならせるとともに、摺動板３を、それぞれフック３１ａ、３１ｂを備えた入り子式の２つの部材３ａ、３ｂで構成したもので、基本的な構成及び作用は、上記第１実施例の可動式仕切り装置と同様である。
そして、本実施例のように、摺動板３を入り子式の２つの部材３ａ、３ｂで構成することにより、可動式仕切り装置の伸縮量を大きくすることができる。
【００３９】
以上、本発明の可動式仕切り装置について、その実施例に基づいて説明したが、本発明は上記実施例に記載した構成に限定されるものではなく、例えば、下部に戸車を、上部にガイドをそれぞれ配設した引き戸式とするなど、その趣旨を逸脱しない範囲において適宜その構成を変更することができるものである。
【産業上の利用可能性】
【００４０】
本発明の可動式仕切り装置は、仕切り戸をその横幅方向に対してスライド式とすることにより戸の横幅を可変式とすることで、部屋の開放空間を広め、かつ仕切り戸の表面に付く段差を小さくできることから、間仕切りの用途に好適に用いることができるほか、例えば、通常の部屋やクローゼット等の引き戸、雨戸等の用途にも用いることができる。
【図面の簡単な説明】
【００４１】
【図１】本発明の可動式仕切り装置の第１実施例を示し、（Ａ）は仕切り戸の伸張時を示す正面図、（Ｂ）は縮小時を示す正面図、（Ｃ）はその側面図である。
【図２】可動式仕切り装置の一部を拡大したもので、（Ａ）は仕切り戸の伸張時を示す平面図、（Ｂ）は縮小時を示す平面図である。
【図３】軸桟を示し、（Ａ）は軸桟の平面図、（Ｂ）は上蓋の平面図、（Ｃ）は上蓋の側面図、（Ｄ）は台板の平面図、（Ｅ）は台板の側面図である。
【図４】端桟を示し、（Ａ）は端桟の平面図、（Ｂ）は上蓋の平面図、（Ｃ）は上蓋の側面図、（Ｄ）は台板の平面図、（Ｅ）は台板の側面図である。
【図５】摺動板を示し、（Ａ）は平面図、（Ｂ）は正面図である。
【図６】ランナーを示し、（Ａ）は正面図、（Ｂ）は側面図である。
【図７】レールを示し、（Ａ）は天井レールの断面図、（Ｂ）は同底面図、（Ｃ）は床レールの断面図、（Ｄ）は同平面図である。
【図８】本発明の可動式仕切り装置の伸縮方法を示す説明図である。
【図９】本発明の可動式仕切り装置の第２実施例を示す平面図である。
【図１０】本発明の可動式仕切り装置の第３実施例を示し、（Ａ）は仕切り戸の伸張時を示す平面図、（Ｂ）は縮小時を示す平面図である。
【図１１】本発明の可動式仕切り装置の第４実施例を示す平面図である。
【図１２】本発明の可動式仕切り装置の第５実施例を示し、（Ａ）は仕切り戸の伸張時を示す平面図、（Ｂ）は縮小時を示す平面図である。
【符号の説明】
【００４２】
Ａ    仕切り戸
１    端桟
１Ａ  上蓋
２Ａ  上蓋
１Ｂ  台板
２Ｂ  台板
１０  空洞
２０  空洞
１１  周側片
１２  周側片
１３  周側片
１４  周側片
１５  引き手部
１６  切欠部
１７  上蓋本体
１７ａ  ランナー取付片
２７ａ  ランナー取付片
１８  台板本体
２８  台板本体
２    軸桟
２１  周側片
２２  周側片
２３  周側片
２４  周側片
２５  切欠部
２６  内連結片
２７  上蓋本体
３    摺動板
３ａ  摺動板
３ｂ  摺動板
３１  フック
３１ａ  フック
３１ｂ  フック
４    ランナー
５    天井レール
６    床レール
【図１】
2005248568.tif 000003
【図２】
2005248568.tif 000004
【図３】
2005248568.tif 000005
【図４】
2005248568.tif 000006
【図５】
2005248568.tif 000007
【図６】
2005248568.tif 000008
【図７】
2005248568.tif 000009
【図８】
2005248568.tif 000010
【図９】
2005248568.tif 000011
【図１０】
2005248568.tif 000012
【図１１】
2005248568.tif 000013
【図１２】
2005248568.tif 000014